(57)【特許請求の範囲】
【請求項１】
板状の針部材と、当該針部材が突き出ているように組み付けられるヘッド部材とを備えており、前記針部材が壁に突き刺されることにより前記ヘッド部材が前記壁に固定される壁装着具において、
前記針部材は、根元部分と、当該根元部分から延び且つ先端部分が尖った少なくとも一本の細長い板状ピンとを備えており、
前記ヘッド部材には、組み付けられる前記針部材を保持し、前記針部材が当該保持状態から前記ヘッド部材を貫通して前記壁に突き刺されるときの前記針部材の前記板状ピンと前記根元部分との突刺し方向の動きを案内する保持案内孔が形成されており、
前記保持案内孔は、前記針部材の突刺しが完了するまで前記根元部分の突刺し方向の動きを案内するため、前記針部材の前記根元部分の断面形状に相当した内壁を有するスリットを備えている
ことを特徴とする壁装着具。
【請求項２】
前記ヘッド部材には、前記針部材の突き刺し方向の移動を阻止するストッパ部が設けられていることを特徴とする請求項１に記載の壁装着具。
【請求項３】
前記ヘッド部材には、前記針部材が貫通した状態で、前記針部材を覆うキャップが装着されることを特徴とする請求項１又は２に記載の壁装着具。
【請求項４】
前記針部材の前記先端部分が尖った前記板状ピンは、共通の前記根元部分から延びており、且つ共通の面内に配置されるように形成された平行な少なくとも二本のピンであることを特徴とする請求項１〜３のいずれか一項に記載の壁装着具。
【請求項５】
前記板状ピンの細長平板の表面には前記板状ピンの長手方向に延びるリブが形成されていることを特徴とする請求項１〜３のいずれか一項に記載の壁装着具。
【請求項６】
前記板状ピンは、板厚が前記根元部分から前記先端部分まで一様な厚さに形成されている、又は前記根元部分から前記先端部分に向かって次第に薄くされる態様で形成されていることを特徴とする請求項１〜５のいずれか一項に記載の壁装着具。
【請求項７】
前記板状ピンは、前記ヘッド部材に対して斜めに傾斜して延びていることを特徴とする請求項１〜６のいずれか一項に記載の壁装着具。
【請求項８】
前記針部材は、前記板状ピンに折り曲がりの無いストレートな針部材であって、前記ヘッド部材に対して全体が斜めに傾斜して延びていること、又は前記板状ピンの長手方向の途中で折れ曲がった角度付きの針部材であって、前記ヘッド部材に対して折れ曲がった部分が斜めに傾斜して延びていることを特徴とする請求項７に記載の壁装着具。
【請求項９】
前記ヘッド部材には、前記板状ピンの傾斜角度に応じて当該ヘッド部材の形状を修正し、前記板状ピンの延びる方向に対して直交する端面を有する補助体が設けられていることを特徴とする請求項７又は８に記載の壁装着具。
【請求項１０】
前記壁装着具は、前記板状ピンが前記壁に対して垂直な姿勢で突き刺される態様で使用される、或いは前記板状ピンが前記壁に対して傾斜し且つ前記ヘッド部材が前記壁に対して傾斜していない姿勢で突き刺される態様で使用されることを特徴とする請求項９に記載の壁装着具。
【請求項１１】
前記壁装着具が前記壁に突き刺される際に押し込み力が作用される前記補助体の端面には、複数条の滑り止めが形成されていることを特徴とする請求項９又は１０に記載の壁装着具。
【請求項１２】
前記ヘッド部材に壁掛止め物品が直接に係合されること、又は前記ヘッド部材に係止される係合具を介して前記壁掛止め物品が間接的に係合されることを特徴とする請求項１〜１１のいずれか一項に記載の壁装着具。
【請求項１３】
前記針部材は、前記ヘッド部材の前記保持案内孔内にしまり嵌め状態に嵌合されることを特徴とする請求項１〜１２のいずれか一項に記載の壁装着具。
【発明の詳細な説明】
【技術分野】
【０００１】
この発明は、家屋等の構築物の壁に、棚や箱等の家具類のような物品を掛け止めるために用いられる板状ピンを用いた壁装着具に関する。
【背景技術】
【０００２】
従来、一般の家屋等において、棚や収納ケースや装飾物、或いは鏡や額縁等の物品を、石膏ボード、コンクリート、ベニヤ板のような木材等の壁材からなる壁に対して取り付けることが行われている。このような物品の壁への取付け構造としては、ピンを壁材に固定し、その固定されたピンに物品を掛け止める構造がある。物品はピンに対して掛け止めてあるだけなので、周囲に取付け専用の器具や装置が物品の外にはみ出ることがなく、見栄えが良い。更に、物品をピンに対する掛け止めを外すことで、物品を壁から取り外すことも簡単である。
【０００３】
物品を壁に掛け止める場合、壁が耐えられる荷重はその壁材の種類によって異なる。したがって、物品の重さに加えて、壁の種類を考慮して、使用するピンの形態及び個数が選択されている。
【０００４】
壁面に装着する装着具の一例として、特許文献１に開示されているものがある。この装着具は、ピン頭部と当該ピン頭部から延びるピン針部とを備えていて、当該ピン針部を壁に突き刺して壁に取り付けられた画鋲状のピンに対して、ピン頭部を抱き込むようにピンに係合する係合部材を、壁に取り付けたい装飾物に取り付けておき、当該係合部材を画鋲状のピンに係合させることで、装飾物を壁に取り付けることを可能にしている。
【０００５】
ピンは、取り付ける装飾物が軽いものであれば、突き刺しによって壁に突き刺される針の形態にすることができる。しかしながら、装飾物が重いものであると、針の代わりに釘や或いはねじが切られたねじ釘のような形態が用いられ、釘を壁に打ち込む或いはねじ釘を壁にねじ込むことにより、ピンを壁に取り付けることが行われている。
【０００６】
室内の模様替え、或いは住民が引っ越し等で退去する場合、掛け止めていた物を取り外してしまう場合には、掛け止めに用いていたピンも壁から取り除くことが一般的である。石膏ボード、ベニヤ等の木材、或いはマンション壁のようなコンクリートである壁材の場合、壁に刺したピンを取り外すと、ピンが刺されていた壁の箇所には大きな穴が残り、室の美観や価値が損なわれるおそれがある。この穴を埋める作業は手間が掛かり、しかもその周囲から目立たないように且つ低コストで穴を埋めることは非常に難しい。
【０００７】
また、コンクリート壁のような硬い壁に突き刺す壁装着具用突き刺しピンにおいては、壁の抵抗力が大きく、それに打ち勝つ大きな力で突き刺しピンを打ち込む必要がある。しかしながら、そのような大きな力で突き刺しピンを硬質の壁に対して真っ直ぐな姿勢を維持しながら突き刺し続けることは困難である。即ち、突き刺しピンは、打ち込み当初や打ち込み途中から、ピン自体が変形し易い、又は突き刺しピンの姿勢が変化し易い。突き刺しピン自体が変形する又はその姿勢が変形をすると、壁に対して正しい姿勢で突き刺しピンを取り付けられず、また、刺しピンが壁から外れ易くなる等の、不具合を生じる。
【先行技術文献】
【特許文献】
【０００８】
【特許文献１】特開平１０−１５１０６１号公報
【発明の概要】
【発明が解決しようとする課題】
【０００９】
そこで、壁に突き刺される針部材と、当該針部材の根元部分が固定されるヘッド部材とを備えた装着具であって、当該壁装着具に係止された係合具に物品を係合することによって当該物品を壁に掛け止めようとする装着具において、コンクリート壁のような硬質の壁に対して、当該針部材の形状・構造に工夫を凝らして、その安定した姿勢を維持しながら確実且つ容易に突き刺し可能にする点で解決すべき課題がある。
【００１０】
この発明の目的は、上記課題を解決することであり、比較的軟質な壁に対してはもとより、コンクリートのような比較的硬質の壁に対しても、針部材を正確且つ確実に突き刺すことができる壁装着具を提供することである。
【課題を解決するための手段】
【００１１】
上記の課題を解決し、上記目的を達成するため、この発明による壁装着具は、板状の針部材と、当該針部材が突き出ているように組み付けられるヘッド部材とを備えており、前記針部材が壁に突き刺されることにより前記ヘッド部材が前記壁に固定される壁装着具であって、前記針部材は、根元部分と、当該根元部分から延び且つ先端部分が尖った少なくとも一本の細長い板状ピンとを備えていることを特徴としている。
【００１２】
この壁装着具によれば、針部材は、断面円形の細いピンと異なって板状の針部材であり、ピンはその先端部分が尖った少なくとも一本の細長い板状のピンであるので、ピンが壁に突き刺されるときに受ける突き刺し力は根元部分から延びる板状ピンの先端部分に集中することになり、針部材を壁に容易に突き刺すことができる。即ち、ピンは断面が細い板の断面であるので、径の太いピンが壁に打ち込まれるのと異なり、突き刺しの際の壁の変形や押し退けの程度が少なくて済み、突き刺しが容易である。また、壁へのダメージを少なくすることもできる。突き刺し後は、壁が板状ピンを両側から挟み込み、壁装着具は当該壁に対して強固に保持される。
【００１３】
この壁装着具はまた、前記ヘッド部材には、組み付けられる前記針部材を保持し、前記針部材が当該保持状態から前記ヘッド部材を貫通して前記壁に突き刺されるときの前記針部材の前記板状ピンと前記根元部分との突刺し方向の動きを案内する保持案内孔を形成することを特徴としている。ヘッド部材に針部材を組み付ける際には、針部材は保持案内孔内に保持されるので、その状態で壁への突き刺しの準備をする、或いは商品として流通させることができる。また、針部材をヘッド部材に押し込むとき又は針部材をヘッド部材に貫通させて壁に突き刺すときには、針部材の板状ピンと根元部分とは保持案内孔において突刺し方向に案内されて動かされ、針部材は座屈を生じることなくヘッド部材に対するスムーズな動きが確保され、安定した状態で壁に突き刺すことができる。
【００１４】
この壁装着具は更に、前記保持案内孔は、前記針部材の突刺しが完了するまで前記根元部分の突刺し方向の動きを案内するため、前記針部材の前記根元部分の断面形状に相当した内壁を有するスリットを備えていることを特徴としている。根元部分をスリットによって案内することで、針部材については、スリットの内壁によって外側から姿勢を保ったまま突刺し完了までヘッド部材に対するスムーズな動きを確保することができ、針部材の突刺し完了状態においては根元部分がスリットに嵌合された状態になる。更に、ヘッド部材の前記保持案内溝は、その前記針部材の貫通先側が薄壁で閉じておき、前記薄壁には、前記針部材を前記ヘッド部材に貫通されるときに穿たれてその後の前記板状ピンを案内する孔を形成するようにすることもできる。この場合、針部材は、保持案内溝に案内されつつヘッド部材に貫通されるので、板状ピンに対応して孔を確実に穿つことができ、更に針部材はそのようにして形成された孔に案内されてヘッド部材へ押し込み又は壁に突き刺すことができる。
【００１５】
針部材がヘッド部材に押し込まれる壁装着具において、ヘッド部材には、前記針部材の突き刺し方向の移動を阻止するストッパ部を設けることができる。針部材を壁に対して打ち込むときの針部材の最深位置がストッパ部によって自動的に定まり、針部材の突き刺し方向へのそれ以上の移動を制限し、所定の深さ位置よりも深く打ち込まれないようにすることができる。
【００１７】
この壁装着具において、前記ヘッド部材には、前記針部材が貫通した状態で、前記針部材を覆うキャップを装着することができる。キャップをヘッド部材に装着することにより、針部材が表に現れた状態にならないようにすることができ、壁装着具としての見栄えが向上する。また、このキャップに、壁掛止め物品を係合させることもできる。
【００１８】
この壁装着具において、前記針部材の前記先端部分が尖った前記板状ピンは、共通の前記根元部分から延びており、且つ共通の面内に配置されるように形成された平行な少なくとも二本のピンであるとすることができる。針部材の板状ピンを共通の根元部分から延びており、且つ共通の面内に配置されるように形成された平行な少なくとも二本のピンとすることで、針部材の製作については、一枚の板材から打ち抜き等の板金加工によって大量に且つ安価に製造可能であり、壁への突き刺し状態では、複数の板状ピンが壁に突き刺されるので、針部材の壁とを大きな固定力で固定し、重量の重い壁掛止め物品についても壁への取り付けを確実にすることができる。
【００１９】
この壁装着具において、前記板状ピンの細長平板の表面には前記板状ピンの長手方向に延びるリブを形成することができる。板状ピンの細長平板の表面に、こうしたリブを形成することにより、針部材の壁への突き刺し時に板状ピンが曲がりや座屈を生じようとするのに対する抵抗性を高めることができる。また、この壁装着具において、前記板状ピンは、板厚が前記根元部分から前記先端部分まで一様な厚さに形成するか、前記根元部分から前記先端部分直前まで一様の厚さで前記先端部分のみを三角尖端に至るまで徐々に薄くするか、又は前記根元部分から前記先端部分に向かって次第に薄くする、という態様で形成することができる。板状ピンは、先端部分において先が尖って形成されているので、根元部分側が一様な厚さに形成されていてもコンクリートのような硬質の壁に対して突き刺し可能であるが、更に根元部分から先端部分に向かって次第に薄くすることで、硬質の壁への突き刺しが一層、容易になる。
【００２０】
この壁装着具において、前記板状ピンは、前記ヘッド部材から斜めに傾斜して延びているとすることができる。板状ピンの傾斜は、壁に突き刺した状態で板状ピンの先端が斜め下方に延びる方向とするのが好ましい。板状ピンの傾斜方向を下向きとすることにより、壁装着具に家具等の物品の重さが作用したときに、壁装着具は、自身が壁に接近する方向の力を受けるので壁から抜け落ち難くなる。ヘッド部材に対する板状ピンの貫通・保持・案内の形態は種々の形態を採用することができる。
また、この壁装着具において、前記針部材は、前記板状ピンに折り曲がりの無いストレートな針部材であって、前記ヘッド部材に対して全体が斜めに傾斜して延びているとすることができる。或いは、前記針部材は、前記板状ピンの長手方向の途中で折れ曲がった角度付きの針部材であって、前記ヘッド部材に対して折れ曲がった部分が斜めに傾斜して延びているとすることができる。いずれの場合も、針部材のヘッド部材から突き出た状態にある部分は、ヘッド部材から斜めに傾斜して延びることになる。
【００２１】
板状ピンがヘッド部材から斜めに傾斜した壁装着具においては、前記ヘッド部材には、前記板状ピンの傾斜角度に応じて当該ヘッド部材の形状を修正し、前記板状ピンの延びる方向に対して直交する端面を有する補助体を設けることができる。補助体の端面に作用する突き刺し力は、板状ピンに対して板状ピンが延びる方向に沿って作用することになるので、板状ピンを壁に突き刺し易くなる。
また、前記壁装着具の使用形態については、前記壁装着具を、前記板状ピンが前記壁に対して垂直な姿勢で突き刺される態様で使用することができる。或いは、別の使用形態として、前記壁装着具を、前記板状ピンが前記壁に対して傾斜し且つ前記ヘッド部材が前記壁に対して傾斜していない姿勢で突き刺される態様で使用することができる。
更に、前記壁装着具が前記壁に突き刺される際に押し込み力が作用される前記補助体の端面には、複数条の滑り止めを形成することができる。複数条の滑り止めは、例えば互いに平行とされたリブ状とすることができる。
【００２２】
更に、この壁装着具において、壁掛止め物品を実際に壁に掛け止める際には、前記ヘッド部材に壁掛止め物品を直接に係合させることができる。また、前記ヘッド部材に係止される係合具を介して前記壁取付け物品を間接的に係合させることもできる。
また、この壁装着具において、前記針部材を、前記ヘッド部材の前記保持案内孔内にしまり嵌め状態に嵌合させることができる。針部材が移動するときには、しまり嵌め状態に嵌合させることに起因した抵抗を持たせておくことで、針部材をヘッド部材内で盲動させることなく保持することができる。
【発明の効果】
【００２５】
この発明による壁装着具は、板状の針部材と、当該針部材が組み付けられるヘッド部材とを備えており、前記針部材が前記ヘッド部材を貫通して壁に突き刺されることにより前記ヘッド部材が前記壁に固定される壁装着具であって、前記針部材は、根元部分と、当該根元部分から延び且つ先端部分が尖った少なくとも一本の細長い板状ピンとを備えているので、針部材は、断面円形の細いピンと異なり、ピンはその先端部分が尖った少なくとも一本の細長い板状ピンであり、それゆえ、針部材を壁に突き刺していくときにピンが受ける突き刺し力は根元部分から延びる板状ピンの先端部分に集中して、針部材を壁に対して容易に突き刺すことができる。即ち、ピンは断面が細板であるので、径の太いピンが壁に打ち込まれるのと異なり、打ち込みの際の壁の変形や押し退けの程度が少なくて済み、壁へのダメージが少なくなる。そして、固定状態では板状ピンがその板面の両側で壁から挟み付けられることになり、板状ピンの壁への固定力を高めることができる。このように、どのような壁に対しても、針部材を正確且つ確実に突き刺すことができる壁装着具を提供することができる。
【００２６】
また、ヘッド部材に、組み付けられる針部材を保持し、針部材が当該保持状態からヘッド部材を貫通して壁に突き刺されるときの針部材の板状ピンと根元部分との突刺し方向の動きを案内する保持案内孔が形成されているので、針部材の板状ピンをヘッド部材に押し込む又は壁に突き刺していくときに、針部材の板状ピンと根元部分とは、針部材の動きに合わせて保持案内孔に案内され、その姿勢を正しく保ったまま安定して確実にヘッド部材に押し込まれ又は壁に突き刺されていく。更に、ヘッド部材に形成される保持案内孔は、針部材の根元部分の断面形状に相当した内壁を有するスリットを備えているので、根元部分は、スリットの内壁によって外側から姿勢が保たれたまま、針部材の突刺し完了まで針部材の座屈を防止するとともに、ヘッド部材に対する突刺し方向のスムーズな動きを確保することができ、針部材の突刺し完了状態においては根元部分がスリットに嵌合された状態にすることができる。
更に、板状ピンをヘッド部材から斜めに傾斜して延びているとする場合には、その傾斜を壁に突き刺した状態で板状ピンの先端が斜め下方に延びる方向とすることで、壁装着具は、家具等の物品の重さが作用したときに壁に圧着される方向に寄せられ、壁装着具が壁から或いはヘッド部材が板状ピンから抜け落ち易く難くなるようにすることができる。
したがって、本壁装着具は、具体的な形態については壁の質に対してそれ相応のもの採用することになるとしても、安定した姿勢を維持しながら、突刺しの失敗を可及的に少なくして、正確で、確実な突刺しを行うことができる。
【図面の簡単な説明】
【００２８】
【図１】この発明による壁装着具の実施例１を示す図である。
【図２】図１に示す壁装着具に用いられる針部材を示す図である。
【図３】図１に示す壁装着具に用いられるヘッド部材を示す図である。
【図４】図１に示す壁装着具に用いられるキャップを示す図である。
【図５】図１に示す壁装着具の使用手順を示す図である。
【図６】この発明による壁装着具の実施例２を示す図である。
【図７】図６に示す壁装着具に用いられる針部材を示す図である。
【図８】図６に示す壁装着具に用いられるヘッド部材を示す図である。
【図９】図６に示す壁装着具に用いられるキャップを示す図である。
【図１０】この発明による壁装着具の実施例３を示す図である。
【図１１】この発明による壁装着具の実施例４を示す図である。
【図１２】この発明による壁装着具の実施例５を示す図である。
【図１３】この発明による壁装着具の実施例６を示す図である。
【図１４】図１３に示す壁装着具の変形した実施例７の一使用態様を示す図である。
【図１５】図１４に示す壁装着具の別の使用態様を示す図である。
【図１６】この発明による壁装着具の実施例８を示す図である。
【図１７】この発明による壁装着具を壁に装着するのに用いられる装着補助具の詳細を示す図である。
【図１８】図１６に示す実施例８の変形例を説明する図である。
【図１９】図１４、図１５に示す実施例７の変形例を説明する図である。
【図２０】図１４、図１５に示す実施例７の更なる変形例を示す図である。
【図２１】壁装着具の使用例を示す図である。
【発明を実施するための形態】
【００２９】
以下、添付した図面に基づいて、この発明による壁装着具の実施例、及び壁装着具を壁に装着するのに用いられる装着補助具の実施例を説明する。
【実施例１】
【００３０】
図１〜図４はこの発明による壁装着具の実施例１を示す図であって、図１の（ａ）は壁装着具の平面図、（ｂ）は（ａ）に示す壁装着具におけるＡ−Ａ断面図、（ｃ）は底面図、（ｄ）は側面図である。図２は図１に示す壁装着具に用いられる針部材を示す図であって、（ａ）は正面図、（ｂ）は側面図である。また、図３は図１に示す壁装着具のヘッド部材を示す図であって、（ａ）は上面図、（ｂ）は（ａ）に示すヘッド部材のＢ−Ｂ断面図、（ｃ）は底面図である。更に、図４は図１に示す壁装着具に用いられるキャップを示す図であり、（ａ）は上面図、（ｂ）は（ａ）に示すキャップのＣ−Ｃ断面図、（ｃ）は底面図である。
【００３１】
図１に示す本発明による壁装着具の実施例１においては、壁装着具１０は、ステンレス等の金属製の針部材１１と、針部材１１が突き出ている樹脂製のヘッド部材１２と、ヘッド部材１２に被せられるキャップ１３とを備えている。壁装着具１０は、壁掛止め物品が係合される係合具（壁側金具）を壁に装着するのに用いられる。また、針部材１１を壁に突き刺した状態で、壁掛止め物品に係合される係合具（図示せず）が当該ヘッド部材１２に係止可能とすることもできる。
【００３２】
実施例１では、針部材１１は、図２にも示すように、二本の細長い薄板状の板状ピン１１４，１５と、これら板状ピン１４、１５に連続し且つ共通している根元部分１６とから構成されている。二本の板状ピン１４，１５は、根元部分１６から、板状ピン１３，１４の針幅程度（例示するものは針幅よりも僅かに細いが、これに限らない）の隙間２０を挟んで互いに平行に同じ方向に向かって延びていて、同じ高さを有している。二本の板状ピン１４，１５は、根元部分１６を含めて、共通の面内に存在するように配置されている。なお、板状ピン１４、１５は、図２に示すように、根元部分１６に対する付け根にＲ部を形成することにより、突き刺し又は打ち込みの際にも折れにくくされている。
【００３３】
板状ピン１４，１５の先頭部分２１，２２は、それぞれ同じ三角山の形状に形成され、板状ピン１５は単純な先細の三角山状のテーパ状に形成されている。テーパ状の先頭部分２１，２２は、板状ピン１４，１５が壁に突き刺される時に突き刺し易くしている。板状ピン１４，１５の先頭部分２１，２２は、ピン本体から厚さを変えることなくテーパ状に先細にするのみでも良いが、壁への突き刺しを更に容易にするため、図１（ｄ）及び（ｅ）並びに図２に示すように先端側に向かうほど厚さを薄くするのが好ましい。即ち、板状ピン１４，１５は、その先端部分が先細側に向かうほどテーパ状に細く且つ薄くして尖った細長い板状ピンであるので、壁への突き刺し時に作用する突き刺し力は板状ピン１４，１５のテーパ状の先端部分２１，２２に集中し、壁がコンクリートのような硬質の壁であっても、壁への突き刺しを容易に行うことができる。板状ピン１４，１５は断面が細板の断面であるので、突き刺しの際のコンクリート壁の変形や押し退けの程度が少なくて済み、コンクリート壁へのダメージを少なくすることができる。
【００３４】
針部材１１は、一枚の金属板好ましくはステンレス板から、打ち抜きによって、中央に根元部分１６に相当する基部と、当該基部から連続して延びる二つの板状ピン１４，１５を有する板状のピンとして製作される。実施例１においては、針部材１１は、根元部分１６から板状ピン１４，１５を含めて一様な板厚である。しかしながら、打ち抜きの際又は打ち抜きの後、プレス加工によって、根元部分１６を含めて先頭部分２１，２２に至る前の部分については同じ板厚にし、先頭部分２１，２２についてのみその板厚を尖端に向かうに従って徐々に薄くすること、或いは、根元部分１６から先端部分２１，２２の尖端に向かって板厚が次第に薄くなるように形成することもできる。この構造の板状ピンは、先端部分２１，２２の板厚が最も薄くされているので、先細となっていることと併せて壁への突き刺しが容易になっており、石膏ボード等の比較的柔らかい壁材から成る壁への突き刺しにも好適である。
【００３５】
ヘッド部材１２は、図１、図３に示すように、樹脂によって段付きの円柱ブロック状に形成されている。ヘッド部材１２は、ブロック状の本体部分２５と本体部分２５の手元側において一体的で且つ外径が一回り拡大されたヘッド端部分２６とを備えている。ヘッド部材１２には、円柱の直径方向に延び且つ本体部分２５とヘッド端部分２６とを通して貫通するスリット２７が形成されている。スリット２７は、ヘッド部材１２に組み付けられる針部材１１を保持し、針部材１１が当該保持状態からヘッド部材１２を貫通して壁に突き刺されるときの針部材１１の動きを案内する保持案内孔として機能している。スリット２７は、針部材１１の根元部分１６の断面形状に相当する内壁を有しており針部材１１が通過可能となっている。スリット２７は、針部材１１をフリーに通過させるのではなく、若干のしまり嵌めの状態で針部材１１を移動するときには抵抗を持たせておき、針部材１１を盲動させることなく保持するようにすることが好ましい。この場合、針部材１１をヘッド部材１２に組み込んだセット状態で商品として流通させることができる。針部材１１を、当該抵抗を上回る力で打ち込むことによって、ヘッド部材１２に対して移動させることができる。針部材１１がヘッド部材１２を通して突刺し完了された状態においては、針部材１１の根元部分１６と当該根元部分１６に接続する板状ピン１４，１５の一部とがスリット２７に嵌合されている。突刺し完了状態では少なくとも針部材１１の根元部分１６の全体がスリット２７内に嵌合されていることにより、針部材１１のヘッド部材１２への係合を確実にすることができる。
【００３６】
キャップ１３の詳細が図４に示されている。キャップ１３は変形し易い樹脂製とされている。キャップ１３は、天板部３１と、天板部３１の外縁に一体的に繋がった周胴部３２と、周胴部３２の自由端に内側に一体的に形成されたリング状の係合部３３とを備えている。キャップ１３は、ヘッド部材１２のヘッド端部分２６に被せて、係合部３３を本体部分２５とヘッド端部分２６との段差部分に係合させることで、ヘッド部材１２に取り付けられる。
【００３７】
図１〜図４に示す壁装着具１０が、壁Ｗの表面ＷＳに装着される様子が図５に示されている。図５の（ａ）に示すように、ヘッド部材１２が壁Ｗの表面ＷＳの所定に位置に置かれる。針部材１１がヘッド部材１２のスリット２７に差し入れられる。スリット２７は針部材１１に対して抵抗を示すので、針部材１１の根元部分１６をハンマ等の工具にて打つことで、針部材１１はヘッド部材１２のスリット２７内を通して壁Ｗに打ち込まれる。この際、ヘッド部材１２はスリット２７において針部材１１の進行を案内するので、壁Ｗからの抵抗を受けても、座屈や変形、歪み等を生じることがない。スリット２７は、板状ピン１４，１５が通過する際に案内するピン案内孔としても機能している。針部材１１は、図５の（ｂ）に示すように、工具がヘッド端部分２６に当たるまで、即ち、根元部分１６がヘッド端部分２６の表面と面一になるまで打ち込まれる。このとき、針部材１１は、根元部分１６の全体と当該根元部分１６に接続する板状ピン１４，１５の一部とに渡ってスリット２７に嵌合され、板状ピン１４，１５の殆どの部分が壁Ｗ内に突き刺された状態になる。最後に、キャップ１３がヘッド部材１２に被せられて、図５の（ｃ）に示すように、壁装着具１０の壁Ｗへの装着が終了する。このように、針部材１１は、ヘッド部材１２のスリット２７の案内作用によって、コンクリートのような比較的硬質の壁Ｗに対しても突き刺しの途中で姿勢を変更することなく、姿勢を正しく保ったまま安定して確実に突き刺すことができる。突き刺された後には壁Ｗが板状ピン１４，１５を挟み付けて、摩擦力によって壁Ｗから容易に抜け出すのを防止して壁Ｗへの保持性を高めることができる。なお、針部材１１をヘッド部材１２のスリット２７に途中まで予め差し入れておいてセットとした状態（例えば、図５の（ａ）において先頭部分を想像線で示す状態）とし、飛び出ている針部材１１の根元部分１６を工具で叩くことで、スリット２７による案内作用を得つつ、壁Ｗに打ち込んでもよい。
【００３８】
壁装着具１０で壁掛止め物品を吊り下げるときの吊り下げ力は二本の板状ピン１４，１５で分担して壁Ｗに保持されるので、物品を壁Ｗに対して安定して保持することができる。また、突き刺すときの針部材１１は、その姿勢が安定しないと、左右に揺れて壁Ｗに作る穴が大きくなり、突き刺しピンの保持強度が低下することになるが、平行に形成されている二本の板状ピン１４，１５がそれぞれヘッド部材１２に案内されつつ壁Ｗに突き刺されるので、姿勢が安定し、壁Ｗに作る穴も最小限に済ませることができる。先頭部分２１，２２の形状は一例であって、これに限られることはない。板状ピン１４，１５の板厚は、コンクリートのような硬質の壁、又は石膏ボード等の比較的柔らかい壁材から成る壁等のように、適用する壁の硬さに応じて、一様な板厚又は尖端に向かう程、徐々に薄くした板厚等、適宜変更可能である。
【実施例２】
【００３９】
本発明による壁装着具の実施例２が図６〜図９に示されている。図６は、この発明による壁装着具の別の実施例を示す図であり、（ａ）はその縦断面視図、（ｂ）はその底面図である。図７は、図６に示す壁装着具に用いられる針部材を示す図であって、（ａ）は正面図、（ｂ）は側面図である。図８は、図６に示す壁装着具に用いられるヘッド部材であって、（ａ）は上面図、（ｂ）は（ａ）のＤ−Ｄで示す中央位置での縦断面図、（ｃ）はその底面図である。そして、図９は、図６に示す壁装着具に用いられるキャップであって、（ａ）は上面図、（ｂ）は（ａ）のＥ−Ｅで示す中央位置での縦断面図、（ｃ）はその底面図である。実施例２の説明において、実施例１と共通する構造については、同等の機能を奏する部材及び部位には実施例１に用いたのと同じ符号を用いることで、再度の説明を省略する。
【００４０】
図６に示す本発明による壁装着具の実施例２においては、壁装着具４０は、ステンレス等の金属製の針部材４１と、針部材４１が貫通されている樹脂製のヘッド部材４２と、ヘッド部材４２に被せられるキャップ４３とを備えている。壁装着具４０は、実施例１の場合と同様、壁掛止め物品が係合される係合具（壁側金具）を壁に装着するのに用いられ、また、針部材４１を壁に突き刺した状態で、壁掛止め物品に係合される係合具（図示せず）が当該ヘッド部材４２に係止可能とすることもできる。図６（ａ）に示すように、針部材４１に比較的大きな割合を占める根元部分１６の全体がスリット内に嵌合されていて、針部材１１のヘッド部材１２への係合を確実にすることができる。
【００４１】
図６の（ｂ）及び図７に示すように、針部材４１の板状ピン１４，１５には、それぞれ、細長平板の一方の表面においてピン長手方向に沿ってリブ４４，４５が形成されている。リブ４４，４５は、先頭部分２１，２２を除いて（即ち、テーパが開始相当の部位から）板状ピン１４，１５の長手方向に延び、更に根元部分１６の中程の高さの位置までストレートに延びている。その他の構造は、実施例１の針部材１１と同様の構造である。なお、リブ４４，４５は、針部材４１の製造過程において、プレス加工によって、容易に成形可能である。また、針部材４１については、実施例１に示す針部材１１と同様に、先端部分が、先端ほどテーパ状に先細で且つ厚さが薄くなって尖った状態に形成されている。
【００４２】
細長平板状の板状ピン１４，１５に働く曲げに関しては、一般に、その長手方向に直交し且つ当該平板の面内に延びる軸の回りの曲げ（即ち、長手方向に対して進むときに板面に直交する方向に撓む曲げ）に対する剛性が最も弱いが、細長平板の表面にリブ４４，４５を形成することで、根元部分１６から突き出る板状ピン１４，１５の強度と剛性が向上し、壁への突き刺し時又は打ち込み時に曲げ変形或いは座屈を起こし難い構造にすることができる。リブ４４，４５は、先頭部分２１，２２側の端部が滑らかなテーパ４４ａ，４５ａに形成されている。
【００４３】
図８には、壁装着具４０に用いられるヘッド部材４２が示されている。ヘッド部材４２は、予め製作されるものであって全体として樹脂製の円柱ブロック形状を呈しており、中央位置、即ち、円柱の直径方向に延び且つヘッド部材４２を通して貫通するスリット４７が形成されている。スリット４７は、針部材４１の動きを案内する保持案内孔として機能しており、また、針部材４１の動きに合わせて板状ピン１４，１５を案内するピン案内孔としても機能している。スリット４７は、針部材４１の根元部分１６に対応する半分の高さの領域４８では根元部分１６の断面形状に相当する内壁を有しており、残る領域４９ではリブ４４，４５に対応した凹溝５０，５１が形成されている。スリット４７は、針部材４１をフリーに通過させるのではなく、若干のしまり嵌めの状態とし、針部材４１の移動に対して抵抗を持たせておき、針部材４１を盲動させることなく保持するようにすることが好ましい。この場合、針部材４１をヘッド部材４２に組み込んだセット状態で商品として流通させることができる。針部材４１を、当該抵抗を上回る力で打ち込むことによって、ヘッド部材１２に対して移動させることができる。
【００４４】
したがって、リブ４４，４５付き板状ピン１４，１５を備える針部材４１をスリット４７に対して領域４８側から打ち込んで挿入するとき、リブ４４，４５はテーパ４４ａ，４５ａの案内によってスリット４７の領域４８を押し開きながら進行し、スリット４７による案内作用を得つつ、壁Ｗに突き刺される。その後、針部材４１が壁Ｗの所定の深さ位置まで打ち込まれたとき、板状ピン１４，１５のリブ４４，４５が凹溝５０，５１内に納まり、根元部分１６がスリット４７の領域４８に納まり、それゆえ根元部分１６の端部がヘッド部材４２の端面から飛び出すことがなく、丁度の位置（面一）を占める状態（図６の（ａ）に示す両者の状態）となる。
【００４５】
図９には、壁装着具４０に用いられるキャップ４３が示されている。キャップ４３は、ヘッド部材４２を、針部材４１の板状ピン１４，１５が突き出る側の端面を除き、すべての表面を覆う形状・構造を備えている。したがって、ヘッド部材４２は、周胴部３２ａの長さがより長くされている点を除いて、実施例１の周胴部３２と同等である。
【実施例３】
【００４６】
図１０には、本発明による壁装着具の実施例３が示されている。図１０の（ａ）は針部材の一部をスリットに押し込んだ状態の壁装着具を示す断面図、（ｂ）は針部材をスリットに押し込んだ状態の壁装着具を示す平面図、（ｃ）は（ｂ）のＦ−Ｆ断面図、（ｄ）は本例の壁装着具を壁に突き刺すときの態様を示す図である。本発明による壁装着具の図１０に示す実施例３においては、壁装着具６０は、金属製の針部材６１と、針部材６１が貫通されている樹脂製のヘッド部材６２とを備えている。壁装着具６０は、ヘッド部材６２に被せられるキャップを備えているが、実施例１に示すキャップ１３と同等の構造を採用することができるので、ここでは図示を省略している。
【００４７】
図１０に示す実施例３に係る壁装着具６０においては、針部材６１は、板状ピン６４，６５と根元部分６６とを備えている。実施例３に示す、板状ピン６４，６５間の隙間６７が、実施例１における板状ピン１４，１５間の隙間２０よりも広く設定されている。ヘッド部材６２については、ヘッド端部分７６がヘッド端部分２６と同様に高さの低い円柱状であるが、本体部分７５が円柱状の本体部分２５と異なり直方体状である。スリット７７は、ヘッド部材６２を貫通して、即ち、本体部分７５とヘッド端部分７６とを通して、針部材６１の動きを案内する保持案内孔として設けられているが、本体部分７５側の一部を埋める形で針部材６１の打ち込み方向の所定以上の移動を阻止するストッパ部７８が設けられている。ストッパ部７８の幅Ｗ１は、板状ピン６４，６５間の隙間６７の幅Ｗ２に対応している。また、ストッパ部７８及び根元部分６６の高さは、それぞれ、図１０の（ｃ）に示すように、針部材６１を壁Ｗに所定の深さ位置まで打ち込んだ状態で、根元部分６６がストッパ部７８に丁度、突き当たり、且つ根元部分６６の端面がヘッド部材６２のヘッド端部分７６の端面と丁度、面一となるように設定されている。即ち、ストッパ部７８のストッパ面とヘッド端部分７６の端面との間の長さＬは、根元部分６６の高さＨに等しくなるように設定されている。
【００４８】
針部材６１については、特にコンクリート壁用に強度が必要なピンとして開発されたもので、根元部分６６を高くするとともに板状ピン６４，６５を尖端に至るほど細く形成してコンクリート壁に打ち込むのに適した形状とした例として示したが、コンクリート以外のモルタル壁のようなより硬度の低い壁に対する針部材として用いても良いことは明らかである。また、針部材６１は、板状ピン６４，６５の太さ（幅寸法）について先細にしているが、特にコンクリート壁のように硬質の壁用として用いる場合に一層突き刺し易くするために、図２に示す形状と同様に、厚さ（板厚寸法）については一様寸法とするだけではなく徐々に薄くなるように変化させて、先端が尖った形状にすることが好ましい。針部材６１の加工については、プレスで加工した後、焼入れ加工を行う（焼入れ温度により得られる硬さが異なる）。また、針部材６１の材料については、例えば、炭素工具鋼（ＳＫ材）、スプリングスチール６５Ｍｎが用いられ、比較的柔らかいコンクリート壁に対してはステンレス材（ＳＵＳ３０１）などを用いることができる。なお、ヘッド部材には硬質樹脂を用いることができる。
【００４９】
スリット７７は、ストッパ部７８によって分断されており、ストッパ部７８の両側に、保持案内孔の一部として、板状ピン６４，６５の移動を案内するピン案内孔８０，８１が形成されている。板状ピン６４，６５を案内するピン案内孔８０，８１をヘッド部材６２に予め穿設しておくことにより、壁への板状ピン６４，６５の突き刺しの際には、板状ピン６４，６５の動きをピン案内孔８０，８１で案内させることができ、板状ピン６４，６５の座屈を防止するとともにヘッド部材６２に対するスムーズな動きを確保することができる。また、針部材６１は、突刺し完了状態において、根元部分６６の全体と当該根元部分６６に接続する板状ピン６４，６５の一部とに渡ってスリット７７及びピン案内孔８０，８１に嵌合されており、針部材１１のヘッド部材１２への係合を確実にすることができる。
【００５０】
図１０（ｄ）には、壁装着具６０を壁Ｗに装着する様子が示されている。まず、壁装着具６０を装着しようとする壁Ｗの位置に、例えば金属製又は樹脂製の板状の補助当て具８５をあてがう。ヘッド部材６２の本体部分７５の端面にはその対角位置にボス８２，８３が形成されており、補助当て具８５には、ボス８２，８３に対応してボス孔８６，８７が形成されており、また、針部材６１が通過する位置に予め孔等を開けておいても良い。したがって、壁装着具６０のヘッド部材６２は、当該ヘッド部材６２に形成されたボス８２，８３を補助当て具８５に形成されているボス孔８６，８７に嵌合させることで、補助当て具８５に対して位置決めされる。この状態で、針部材６１をヘッド部材６２に形成されているスリット７７に通して工具Ｔによって叩くことで、壁Ｗの所定の装着位置において、針部材６１をヘッド部材６２に案内させつつ補助当て具８５を貫いて壁Ｗへと突き刺すことができる。なお、補助当て具８５を用いない場合には、ヘッド部材６２の本体部分７５にボス８２，８３を形成する必要はなく、ヘッド部材６２を直接に壁Ｗに当ててその状態で針部材６１を壁Ｗに突き刺すことができる。ヘッド部材６２を直接、壁Ｗに当てて刺す場合は、ヘッド部材６２の物体（壁Ｗ）側に当たる箇所に両面テープを貼ることにより、ヘッド部材６２の位置決めをすると、針部材６１を壁Ｗに突き刺し易くすることができる。また、壁Ｗの破壊も防げ、針部材６１を抜いた後も、壁Ｗに残る穴が小さくて済む。補助当て具８５を使用する場合についても、壁Ｗに当て使用するときには、やはり両面テープを使用することで、補助当て具８５を物体（壁Ｗ）に対して位置決めして、針部材６１を壁Ｗに突き刺し易くすることができ、この場合にも、コンクリートの破壊も防いで、針部材６１を抜いた後に壁Ｗに残る穴も小さくて済む。
【実施例４】
【００５１】
図１１には、本発明による壁装着具の実施例４が示されている。図１１の（ａ）は針部材の一部をスリットに押し込んだ状態の壁装着具を示す断面図、（ｂ）は針部材をスリットに押し込んだ状態の壁装着具を示す平面図、（ｃ）は（ｂ）のＧ−Ｇ断面図、（ｄ）は本例の壁装着具を壁に突き刺すときの態様を示す図である。実施例４においては、壁装着具９０は、金属製の針部材９１と、針部材９１が貫通されている樹脂製のヘッド部材９２とを備えている。壁装着具９０は、ヘッド部材９２に被せられるキャップを備えているが、実施例１に示すキャップ１３と同等の構造を採用することができるので、ここでは図示を省略している。針部材９１は、図１０に示す針部材６１の場合と同様に、特にコンクリート壁用に強度が必要なピンとして開発されたもので、根元部分９６を高くするとともに板状ピン９４を尖端に至るほど細く形成してコンクリート壁に打ち込むのに適した形状とした例として示したが、コンクリート以外のモルタル壁のようなより硬度の低い壁に対する針部材として用いても良いことは明らかである。
【００５２】
図１１に示す実施例４に係る壁装着具９０においては、針部材９１は、一本の板状ピン９４と根元部分９６とを備えている。板状ピン９４は、根元部分９６の中央位置から延びている。ヘッド部材９２については、実施例３の場合と同様に、直方体状の本体部分１０５と高さの低い円柱状のヘッド端部分１０６とを備えている。ヘッド部材９２には、保持案内孔としてのスリット１０７が設けられているが、針部材９１の板状ピン９４が貫通する先側が薄壁１０８で閉じられている。根元部分９６をスリット１０７に対して案内させながら針部材９１を打ち込んでいくとき、板状ピン９４の先頭部分１０１が打ち込み力を集中させて薄壁１０８を確実に貫通し、先頭部分１０１が薄壁１０８に孔を開け、薄壁１０８には板状ピン９４が貫く孔１０９が形成される。当該孔１０９は、その後、根元部分９６をスリット１０７に案内させつつ針部材９１を打ち込んでいくときに、板状ピン９４を案内する案内孔として機能する。針部材９１は、根元部分９６が薄壁１０８に突き当たってそれ以上の打ち込みができなくなるので、薄壁１０８は、針部材９１に対するストッパ部としても機能している。なお、図示の例では、ヘッド部材９２の先側の壁は薄壁１０８として特に孔が開けられていないが、針部材９１が太くなる場合や壁の厚さが厚くなる場合には、先側の壁には必要に応じて板状ピン９４が貫通する孔を予め開けておくことができる。図１１（ｄ）に示すような壁装着具９０を壁Ｗに突き刺すときの態様は、図１０（ｄ）の場合と同様である。ヘッド部材９２にはその端面の対角位置にボス１３２，１３３が形成されており、ヘッド部材９２と壁Ｗとの間に挟んで置かれる補助当て具１３５には、ボス１０２，１０３が嵌合するボス孔１３６，１３７が形成されている。補助当て具１３５の構造及び用い方は、図１０（ｄ）に示した補助当て具８５の構造及び用い方と同等であるので、再度の説明を省略する。
【実施例５】
【００５３】
図１２には、本発明による壁装着具の実施例５が示されている。図１２の（ａ）は、壁装着具の針部材とヘッド部材を示す平面図、（ｂ）は（ａ）の正面図、（ｃ）は（ａ）の側面図である。また、図１２の（ｄ）は針部材のみを取り出して示す正面図、（ｅ）は（ｄ）の側面図である。実施例５においては、壁装着具は、ステンレス等の金属製の針部材１１１と、針部材１１１が貫通されている樹脂製のヘッド部材１１２とを備えている。
【００５４】
実施例５において、針部材１１１は、板状ピン１１４，１１５と、それらに共通の根元部分１１６とを備えている。ヘッド部材１１２は、本体部分１２５とヘッド端部分１２６とを備えている。針部材１１１は、根元底部分１１６がヘッド部材１１２内に埋設されるように、ヘッド部材１１２に対してインサート成形によって一体化されている。これに代えて、根元底部分１１６がヘッド部材１１２の表面に露出するように埋設してもよい。針部材１１１を硬質の壁に打ち込む際には、ヘッド部材１１２のヘッド端部分１２６をハンマ等の工具で叩くことによって行われる。金属製の針部材１１１は、根元部分１１６がインサート成形の手法を伴う樹脂の射出成形によってヘッド部材１１２と一体化して形成されることで、ヘッド部材１１２に対して簡単に且つ強固に固定される。
【００５５】
特に、図１２の（ｄ）に示すように、針部材１１１の根元部分１１６には、材料抜き用の孔１１７が形成されている。図示の例では中央に比較的大きな一つの孔として形成したが、両側に比較的小さい二つの孔とするなど、他の形態でも構わない。針部材１１１のインサート成形時、注入される樹脂が孔１１７に入り込む。インサート成形時に、樹脂が孔１１７に入り込んで樹脂と針部材１１１とが結合することにより、針部材１１１とヘッド部材１１２との結合が大きく強化される。実施例２に示したように、板状ピン１１４，１１５にリブを形成し、リブと樹脂とを広い接触面積で結合させることもできる。連続するリブの下方の一部を樹脂に埋設させるによって、板状ピン１１４，１１５の樹脂から出る部位における強度を向上させ、針部材１１１とヘッド部材１１２とを一層強固に結合することができる。
【実施例６】
【００５６】
図１３には、本発明による壁装着具の実施例６が示されている。図１３の（ａ）は、壁装着具の針部材とヘッド部材を示す平面図、（ｂ）は（ａ）の正面図、（ｃ）は（ａ）の側面図である。また、図１３の（ｄ）は壁装着具の斜視図である。実施例６においては、壁装着具１４０は、ステンレス等の金属製の針部材１４１と、針部材１４１が一側から突き出るように設けられている樹脂製のヘッド部材１４２とを備えている。
【００５７】
実施例６において、針部材１４１は、尖った先頭部分（第１実施例の先頭部分２１，２２と同様のもの）を有する板状ピン１４４，１４５と、それらに共通の根元部分１４６とを備えている。ヘッド部材１４２は、本体部分１４７と、本体部分１４７に一体のヘッド端部分（フランジ部分）１４８とを備えている。針部材１４１は、根元部分１４６がヘッド部材１４２内に埋設されるように、ヘッド部材１４２に対してインサート成形の手法を伴う樹脂の射出成形によって一体化されている。板状ピン１４４，１４５については、その全部、又は根元部分１４６側の一部を除く大部分がヘッド部材１４２から突き出るように配置される。金属製の針部材１４１は、根元部分１４６がインサート成形ヘッド部材１４２と一体化されることで、ヘッド部材１４２に対して強固に固定される。柔らかい壁に対しては壁装着具１４０を手で押し込むことができるが、壁装着具１４０を硬質の壁に打ち込むには、ヘッド部材１４２のヘッド端部分１４９（図１３（ｄ）参照）をハンマ等の工具で叩くことによって行われる。
【００５８】
実施例６においては、板状ピン１４４，１４５は、ヘッド部材１４２に対して、ヘッド部材１４２から突き出た位置で斜めに傾斜して延びている。その傾斜の方向は、壁装着具１４０を壁に突き刺した状態で板状ピン１４４，１４５の先端が斜め下方に延びる方向となるように、壁装着具１４０を使用・配置するのが好ましい。そうした構造により、家具等の物品を支持するために、壁装着具１４０に当該物品の重さが作用したときには、壁装着具１４０には、当該壁装着具１４０を壁Ｗ側に接近させる方向の力が生じ、針部材１４１は壁Ｗにより深く差し込もうとすることになるので、壁装着具１４０が壁Ｗから抜け落ちるというような事態を回避することができる。板状ピン１４４，１４５の傾き角度θ（図１３（ｃ）参照）は、約１５度とすることができるが、物品の支持の形態や壁の硬さ等に応じて、これ以外の適宜傾き角度（例えば、約２５度）であってもよい。
【００５９】
実施例６に示す壁装着具１４０においては、他の実施例で備わるとした構造、例えばヘッド部材に対する板状ピンの貫通・保持の形態を、適宜に採用し組み合わることができる。即ち、ヘッド部材１４２には、針部材１４１が貫通した状態で、針部材１４１を覆うキャップを装着しても良い。また、板状ピン１４４，１４５の細長平板の表面に、板状ピン１４４，１４５の長手方向に延びるリブを形成してもよい。更に、針部材１４１の先端側の板厚を次第に薄くして尖らせてもよい。ヘッド部材１４２の外周形状は真円ではなく、両サイドが平らにカットされた楕円形に近い形状である。これは、プッシュエイド（図１７）を当該平らな両サイド部分に係合させて、壁装着具１４０を壁から取り外すのを容易にするためのものであり、詳細は後述する。
【実施例７】
【００６０】
図１４には、図１３に示す壁装着具について一部を変形して成る実施例７が示されている。図１４の（ａ）は突き刺し開始状態時を示す側面図、（ｂ）は突き刺し完了状態を示す側面図である。図１４に示す壁装着具１５０は、図１３に示す壁装着具１４０のヘッド部材１４２において、そのヘッド端部分１４９側にヘッド形状を修正する補助体１５１を設けた形態のものである。補助体１５１は、角度αを持つ断面楔状の形状を有しており、針部材１４１が延びる方向に対して外側端面１５２が垂直になるようにヘッド形状を修正している。補助体１５１は、壁装着具１５０を壁Ｗに突き刺し易くするために、針部材１４１の傾斜角度θに合わせて角度α（＝θ）を付けて付加されている。図１４に示す壁装着具１５０は針部材１４１を壁Ｗに水平に突き刺す態様で用いられている。補助体１５１の端面１５２は、水平方向に置いた針部材１４１の水平な突き刺し方向に対して直交する押し込み面を提供しているので、柔らかい壁Ｗについては手で外側端面１５２を押し、また硬い壁Ｗについてはハンマ等の工具で外側端面１５２を叩くときに、その押し込み力を針部材１４１が延びる方向に集中させることができ、針部材１４１を壁Ｗに対して容易に突き刺すことができる。
【００６１】
壁装着具１５０の針部材１４１を壁Ｗに刺して、ヘッド部材１４２の上部１４２ａが壁Ｗに当接しただけでは、図１４（ａ）において想像線で示すように、ヘッド部材１４２の下部１４２ｂは壁Ｗの表面と平行にはならず、ヘッド部材１４２の下部１４２ｂと壁Ｗの表面との間に隙間Ｊが生じる。しかしながら、針部材１４１の傾斜角度が１５度程度であるので、壁装着具１５０を壁Ｗに対して強くし込むことによって、図１４（ｂ）に示すように、ヘッド部材１４２が壁Ｗに押し込まれて下部１４２ｂと壁Ｗとの間の隙間Ｊを無くすことができ、壁装着具１５０の壁Ｗへの装着を確実にすることができる。
【００６２】
図１５には、図１４に示す壁装着具の別の使用態様が示されている。図１５の（ａ）は突き刺し開始状態を示す側面図、（ｂ）は突き刺し完了状態を示す側面図である。図１５に示す壁装着具１５０は、図１４に示す壁装着具１５０と同じ構造を有しているが、針部材１４１を斜め下方に傾斜させたまま壁Ｗに刺す態様で用いられる。即ち、ヘッド部材１４２は、その針部材がヘッド部材に対して傾斜していないとした壁装着具（例えば、図１に示す実施例と同じ。）の場合における当該ヘッド部材の姿勢と同じ姿勢に置いて用いられる。補助体１５１の外側端面１５２は、針部材１４１が延びる方向に対して直交しているので、端面１５２に対して手で押し又は工具で叩くことによって力を作用させたときには、その押し込み力を針部材１４１が延びる方向に集中させることができ、針部材１４１を壁Ｗに対して容易に斜めに突き刺すことができる。図１５（ａ）に示すように、この使用態様においては、針部材１４１は壁Ｗに対してその傾斜方向に沿って、斜め下方に突き刺される。壁装着具１５０の針部材１４１を壁Ｗに刺すと、ヘッド部材１４２は壁Ｗに対して平行に当接することになり、図１５（ｂ）に示すように、ヘッド部材１４２と壁Ｗの表面との間に隙間は生じず、壁装着具１５０の壁Ｗへの装着を確実にすることができる。この使用態様では、図１３に示す例との場合と同様に、壁装着具１４０に家具等の物品の重さが作用したときには、壁装着具１４０には、当該壁装着具１４０を壁Ｗ側に接近させる方向の力が生じ、針部材１４１は壁Ｗにより深く差し込もうとすることになるので、壁装着具１４０が壁Ｗから抜け落ちるというような事態を回避することができる。
【実施例８】
【００６３】
斜めの針部材を有する壁装着具の実施例８が図１６に示されている。図１６の（ａ）は実施例８の壁装着具の分解図、（ｂ）は壁に装着する途中図である。実施例８に示す壁装着具１６０は、ストレートな形状を有する針部材１６１と、針部材１６１が押し込まれるスリット１６３が真っ直ぐであるが斜めに形成されているヘッド部材１６２とを備えている。ヘッド部材１６２の壁Ｗ側に、図１０（ｄ）に示したのと同様の板状の補助当て具１６５を沿わせて配置しておき、スリット１６３に通した針部材１６１を補助当て具１６５に形成されている中央孔１６６にも貫通させて壁Ｗに突き刺すことにより、ヘッド部材１６２は補助当て具１６５を介して壁Ｗに対して装着される。装着完了の状態では、針部材１６１は図１６（ｂ）に示すように壁Ｗに深く突き刺される。ヘッド部材１６２に突出して形成されているボス１６４，１６４を、それに対応して補助当て具１６５に形成されている位置決め用のボス孔１６７，１６７に嵌め合わせることによって、ヘッド部材１６２が補助当て具１６５に対して位置決めされる。実施例７に示す壁装着具１５０は、針部材をインサート成形して構成されているので、手で壁に突き刺すには指が痛くなる場合もあり、実施例８では、針部材１６１はプッシュエイドとして機能する装着補助具１７０を用いて壁Ｗに突き刺される。針部材１６１は、その後端が装着補助具１７０の先端に嵌入されることによって、装着補助具１７０に保持される。装着補助具１７０を手で握って装着補助具１７０ごと針部材１６１をヘッド部材１６２に押し込むことで、針部材１６１をヘッド部材１６２及び補助当て具１６５に通して、容易に壁Ｗに突き刺すことができる。図１６では、斜め上方に向かって突き刺されているが、図１５に示すように斜め下方に突き刺す壁装着具とすることで、物品の重量が掛かったときに、壁Ｗに接近する傾向を付与することで、壁から抜け出にくくすることも勿論可能である。
【００６４】
図１７には、装着補助具１７０であるプッシュエイドの詳細が図示されている。図１７の（ａ）は、針部材とともに装着補助具を示す平面図、（ｂ）はその側面図、（ｃ）は（ｂ）に示すＫ部を拡大して示す斜視図である。針部材１６１は、図２に示す針部材１１と同等であって良く、針部材１６１の各部位には針部材１１に用いたのと同じ符号を用いることで再度の詳細な説明を省略する。装着補助具１７０においては、手で握られる本体１７１の先端部１７２に、その先端端部から内部に延びるように凹部１７３が形成されている。装着補助具１７０は、凹部１７３に針部材１６１の根元部分１６が締まり嵌め状態に嵌入されることにより、針部材１６１を保持することができる。装着補助具１７０の先端部１７２に針部材１６１を保持した状態で装着補助具１７０を操作することで、指や手を痛めることなく、針部材１６１をヘッド部材１６２のスリット１６３内に押し込むことができる。図１７に示す装着補助具１７０では、針部材１６１の根元部分１６を保持するのに、凹部１７３を形成したものを示したが、これに代えて、凹部１７３を両側面までカットして溝に形成してもよい。また、図１３に示したヘッド部材１４２は、その外形を一部平らにカットするなどして非円形に形成されており、装着補助具１７０の後端部１７４には、ヘッド部材１４２のそうした非円形の形状に相補的で外向きに開放した嵌合凹部１７５が形成されている。したがって、壁に突き刺された状態にある壁装着具１４０に対して、そのヘッド部材１４２に壁装着具１４０の嵌合凹部１７５を非円形な態様で嵌合させ、その状態で装着補助具１７０を操作することで、壁装着具１４０には取り外し力が効果的に作用し、壁装着具１４０を壁から容易に取り外すことができる。
【００６５】
図１８には、図１６に示す実施例８の変形例を説明している図である。図１８に示す例は、ヘッド部材１６２に押し込んだ針部材１６１をそのヘッド部材１６２から抜け出すのを防止することを図ったものである。即ち、針部材１６１には、その根元部分１６の中央部分に、後述する抜け止め用のピンが差し込み可能な孔１８０が形成されている。また、ヘッド部材１６２にも、スリット１６３内に押し込まれた状態にあるとしたときの針部材１６１の抜け止め用の孔１８０に対応した位置に、針部材１６１を間に挟んで、後述する抜け止め用のピンが差し込み可能な孔１８１，１８１が形成されている。針部材１６１がヘッド部材１６２に押し込まれた状態では、針部材１６１の孔１８０とヘッド部材１６２の孔１８１，１８１とが整列する。この状態で、抜け止めピン１８２が、ヘッド部材１６２の孔１８１から針部材１６１の孔１８０、更にヘッド部材１６２のもう一つの孔１８１に差し込まれる。これによって、針部材１６１はヘッド部材１６２に対して固定され、壁装着具として壁に突き刺されるときにも、針部材１６１がヘッド部材１６２から抜け出ることがない。
【００６６】
図１９及び図２０は、実施例７（及びその変形例）として図１４又は図１５に示した壁装着具の更なる変形例を示す図である。図１９に示す壁装着具１９０はストレートな形状の針部材１６１を用いる例であり、図２０に示す壁装着具２００は、角度付きの形状、即ち、板状ピン１４，１５の途中（根元部分１６寄りの位置）の折れ曲がり線１７，１７で示すように、折れ曲がった形状を備えている針部材２０１を用いる例である。いずれの場合も、針部材１６１及び針部材２０１の板状ピン１４，１５は、ヘッド部材１６２の壁側に面する端面の中央位置から斜めに突き出ており、図２０に示す壁装着具２００の場合には、折れ曲がった位置において、ヘッド部材１６２の当該端面の中央位置から突き出ている。なお、図１９及び図２０に示す壁装着具１９０，２００では、図１８に示す例で用いていた抜け止めピン１８２を用いておらず、針部材１６１，２０１はインサート成形にてヘッド部材１６２と一体に成形される。また、ヘッド部材１４２の補助体１５１の工具が叩かれる端面１５２には、複数条の滑り止め１５３が平行なリブ状に形成されている。
【００６７】
本発明による壁装着具においては、壁体への物品の取付けに用いられるものとしたが、壁体は、一般の家庭のモルタル壁、木材又はベニヤ板材で構成された壁材、或いはコンクリート壁であってもよい。木材又はベニヤ板材で構成された壁材としては、製品的には、無垢材の他に、合板やＭＤＦ（中質繊維板）などの基材に木材の薄い板を張り付けた天然木化粧合板、合板の表面に樹脂加工した紙やビニールを貼着した合成樹脂合板、合板に直接木目などを印刷したプリント合板などであってもよいことは明らかである。また、塗り壁としては、例えば臭機能が高い珪藻土、消石灰を原料とした漆喰であってもよい。石膏プラスターやドロマイトプラスター塗りであってもよい。
【００６８】
板状ピンの形状について、先端側ほど板厚を次第に薄くした板状ピンを備える突き刺しピンは、石膏ボード、モルタル用として使うのに好適である。図１０及び図１１に示す以外の実施例において、板幅が略一様として示した板状ピンは、石膏ボード、木、柔らかい壁のような、軟質の壁用の針部材として好適である。板状ピンの先端部を尖る形状とし、また先端部の厚みを薄くすることもできる。軟質の壁に対しては、先端部の厚みを薄くしても、損傷することなく、突き刺す（打ち込む）ことができる。
一方、コンクリートのような硬質の壁に対しては、板状ピンは、材質や加工方法にもよるが、折損・曲がりなどの損傷の原因にならなければ、根元部分から先端部分までの長さや幅寸法、又は板厚について、使用態様に応じて適宜の変更が可能である。コンクリート壁用の針部材は、図１０及び図１１に示す実施例のように、板状ピンの幅を徐々に細くした形態のものが好適であるが、このような形態の針部材は、石膏ボード、木、柔らかい壁のような軟質の壁にも勿論、用いることができる。厚みを確保してピンを安定させ且つ損傷しないようにする外、先端部の厚みを薄くしても良い。リブ有りのものを用いると更に強度・剛性が増し、変形や座屈に対して抵抗性が増す。一例として、ピンの長さを略１７ｍｍ、ピンとピンの間隔（隙間）を２〜６ｍｍ、板厚は０．８ｍｍ〜２．０ｍｍであるが、これらは一例であって、取り付ける物品の重さ、壁材の性質（硬さ等）、用いる突き刺しピンの個数、個々の突き刺しピンに掛かる荷重条件等を考慮して、突き刺しピンの形態を選択するのが好ましい。例えば、壁の硬さが高いほど、板状ピンの板厚を厚くすることができる。それゆえ、多数の仕様の突き刺しピンを用意しておき、使用する状況に応じて、その中から、安全な仕様のものを選択可能にしておくのが好ましい。
【００６９】
図２１に、本発明による壁装着具（例えば、実施例１に示す壁装着具１０）の一適用例を示す。図２１においては、三つの壁装着具１０，１０，１０が、壁Ｗに引っ掛け金具３００を固定するのに用いられている。引っ掛け金具３００は、本体３０１と、本体３０１の下端から折り返して形成したフック部３０２と、本体３０１から延びる３本のアーム部３０３，３０３，３０３とを備えている。各アーム部３０３の先端部分には、壁装着具１０を突き刺すための孔３０４が形成されている。孔３０４は、壁装着具１０のヘッド部材１２を受け入れるために円形に形成されている。各壁装着具１０の針部材１１を、孔３０４を通して壁Ｗに突き刺すことにより、引っ掛け金具３００を壁Ｗに固定することができ、フック部３０２にハンガや手提げ等の物品を掛けて吊り下げることができる。図２１に示した壁Ｗに固定するための金具はあくまで例示であり、図示以外の適宜の形状・形態のものを採用することができる。引っ掛けに供する以外に、支えや、或いは別の製品を取り付けるためのアダプタや、家具に取り付けられた家具側金具と係合可能な壁側金具を壁Ｗに固定するのにも使用することができることは明らかである。
【符号の説明】
【００７０】
１０  壁装着具        １１  針部材
１２  ヘッド部材      １３  キャップ
１４，１５  板状ピン  １６  根元部分
１７  折れ曲がり線
２０  隙間            ２１，２２  先頭部分
２５  本体部分        ２６  ヘッド端部分
２７  スリット
３１  天板部          ３２  周胴部
３３  係合部
４０  壁装着具        ４１  針部材
４２  ヘッド部材      ４３  キャップ
４４，４５  リブ      ４７  スリット
４８  領域            ４９  領域
５０，５１  凹溝
６０  壁装着具        ６１  針部材
６２  ヘッド部材
６４，６５  板状ピン  ６６  根元部分
６７  空間（隙間）    ７１，７２  先頭部分
７５  本体部分        ７６  ヘッド端部分
７７  スリット        ７８  ストッパ部
８０，８１  ピン案内孔
８２，８３  ボス
８５  補助当て具      ８６，８７  ボス孔
９０  壁装着具        ９１針部材
９２  ヘッド部材
９４  板状ピン        ９６  根元部分
９７  空間（隙間）
１０１  先頭部分    １０８  薄壁（ストッパ）
１０９  案内孔
１１１  針部材      １１２  ヘッド部材
１１４，１１５  板状ピン
１１６  根元部分    １１７  孔
１２５  本体部分    １２６  ヘッド端部分
１２３，１３３  ボス
１３５  補助当て具
１３６，１３７  ボス孔
１４０  壁装着具
１４１  針部材      １４２  ヘッド部材
１４２ａ  ヘッド部材の上部
１４２ｂ  ヘッド部材の下部
１４４，１４５  板状ピン
１４６  根元部分    １４７  本体部分
１４８  ヘッド端部分（フランジ部分）
１４９  ヘッド端部分
１５０  壁装着具    １５１  補助体
１５２  外側端面    １５３  滑り止め
１６０  壁装着具    １６１  針部材
１６２  ヘッド部材  １６３  スリット
１６４  ボス        １６５  補助当て具
１６６  中央孔      １６７  ボス孔
１７０  装着補助具  １７１  本体
１７２  先端部      １７３  凹部
１７４  後端部      １７５  嵌合凹部
１８０，１８１  孔    １８２  抜け止めピン
１９０，２００  壁装着具
２０１  針部材
３００  引っ掛け金具    ３０１  本体
３０２  フック部        ３０３  アーム部
３０４  孔
θ  傾斜角度        α  角度
Ｈ  板状ピンの根元部分の高さ
Ｌ  ヘッド部材のストッパ部のストッパ面とヘッド端部分の端面との間の長さ
Ｔ  工具    Ｊ  隙間    Ｗ  壁    ＷＳ  壁面
【図１】
0005372192.tif 000002
【図２】
0005372192.tif 000003
【図３】
0005372192.tif 000004
【図４】
0005372192.tif 000005
【図５】
0005372192.tif 000006
【図６】
0005372192.tif 000007
【図７】
0005372192.tif 000008
【図８】
0005372192.tif 000009
【図９】
0005372192.tif 000010
【図１０】
0005372192.tif 000011
【図１１】
0005372192.tif 000012
【図１２】
0005372192.tif 000013
【図１３】
0005372192.tif 000014
【図１４】
0005372192.tif 000015
【図１５】
0005372192.tif 000016
【図１６】
0005372192.tif 000017
【図１７】
0005372192.tif 000018
【図１８】
0005372192.tif 000019
【図１９】
0005372192.tif 000020
【図２０】
0005372192.tif 000021
【図２１】
0005372192.tif 000022